【手続補正書】
【提出日】平成20年3月21日(2008.3.21)
【手続補正１】
【補正対象書類名】特許請求の範囲
【補正対象項目名】全文
【補正方法】変更
【補正の内容】
【特許請求の範囲】
【請求項１】
ゴルフクラブヘッドであって、
金属材料で作られ、開口部が形成された第１の本体部分と、
前記開口部内に位置決めされた状態で、接着剤又は溶接部を用いないで同時成形により前記第１の本体部分に接合されたインサートとを有する、
ゴルフクラブヘッド。
【請求項２】
前記インサートが軽量材料で作られている、請求項１記載のゴルフクラブヘッド。
【請求項３】
前記第１の本体部分には、第２の開口部が形成され、前記ゴルフクラブヘッドは、前記第２の開口部内に収納された第２のインサートを更に有する、請求項１記載のゴルフクラブヘッド。
【請求項４】
前記ゴルフクラブヘッドは、打撃フェース及びソールを有し、
前記打撃フェースは、表面積が４０ｃｍ2よりも大きく、
前記ゴルフクラブヘッドは、前記ソールよりも約１インチ（２５．４ｍｍ）以下の距離上方のところに位置する重心を有する、請求項１記載のゴルフクラブヘッド。
【請求項５】
前記ゴルフクラブヘッドは、重心、外周を備えたクラウン、及びソールを有し、前記外周の少なくとも３５％は、前記重心のソール側に位置している、請求項１記載のゴルフクラブヘッド。
【請求項６】
ゴルフクラブヘッドを製作する方法であって、
開口部を有する初期クラブヘッド本体を用意し、
前記初期クラブヘッド本体を金型内に位置決めし、
成形材料を前記開口部に隣接して前記金型内に挿入し、
前記成形材料を成形し、
前記ゴルフクラブヘッドを前記金型から取り出すステップことを含む、
方法。
【請求項７】
袋を前記初期クラブヘッド本体内に入れた状態で前記金型内に挿入することを更に含む、請求項６記載の方法。
【請求項８】
前記初期クラブヘッド本体を用意する工程が、前記開口部が前記初期クラブヘッドのスカート領域内に位置する初期クラブヘッド本体を用意することを含む、請求項６記載の方法。
【請求項９】
前記初期クラブヘッド本体を用意する工程が、前記開口部が前記初期クラブヘッドのクラウン領域内に位置する初期クラブヘッド本体を用意することを含む、請求項６記載の方法。
【請求項１０】
前記挿入工程が、流体成形材料を前記金型内に挿入することを含む、請求項６記載の方法。
【請求項１１】
前記挿入工程が、複数種類の流体材料を混合し、前記混合流体を前記金型内に挿入することを更に含む、請求項１０記載の方法。
【請求項１２】
前記挿入工程が、複合材料の１枚又は２枚以上のプライを前記金型内に位置決めすることを含む、請求項６記載の方法。
【請求項１３】
前記初期クラブヘッド本体を用意する工程が、材料を前駆体としてのクラブヘッド本体から除去して前記初期クラブヘッド本体を形成することを含む、請求項６記載の方法。
【請求項１４】
ゴルフクラブヘッドであって、打撃フェース、ソール、クラウン、ヒール、及びトウを備えた本体を有し、前記打撃フェースは、ヒール−トウ方向に測定した幅及びソール−クラウン方向に測定した高さを有し、
前記打撃フェースは、４０ｃｍ2よりも大きな表面積を有し、
前記幅を前記高さで除算して定められるアスペクト比は、１．５よりも大きい、ゴルフクラブヘッド。
【請求項１５】
ゴルフクラブヘッドであって、
打撃フェースと、ソールと、クラウンとを備えた本体を有し、
前記打撃フェースは、４０ｃｍ2よりも大きな表面積を有し、前記ゴルフクラブヘッドは、前記ソールよりも約１インチ（２．５４ｃｍ）以下の距離上方に位置する重心を有する、
ゴルフクラブヘッド。
【請求項１６】
前記ゴルフクラブヘッドは、４００ｃｍ3よりも大きな体積を有する、請求項１５記載のゴルフクラブヘッド。
【請求項１７】
前記体積は、４２５ｃｍ3よりも大きい、請求項１６記載のゴルフクラブヘッド。
【請求項１８】
実質的に前記ゴルフクラブヘッドの中心でクラウン−フェース交点から前記クラウンの後縁まで測った距離は、４インチ（１０．１６ｃｍ）よりも大きい、請求項１５記載のゴルフクラブヘッド。
【請求項１９】
前記距離は、４．２５インチ（１０．８０ｃｍ）よりも大きい、請求項１８記載のゴルフクラブヘッド。
【請求項２０】
ゴルフクラブヘッドであって、
打撃フェースと、クラウンと、ソールと、ヒールと、トウと、リヤとを備えた本体を有し、前記打撃フェースは、ヒール−トウ方向に測定した幅を有し、前記ゴルフクラブヘッドは、フェース−リヤ方向に測定した深さを有し、
前記打撃フェースは、４０ｃｍ2よりも大きな表面積を有し、
前記深さは、４．５〜５インチ（１１．４３〜１２．７０ｃｍ）である、
ゴルフクラブヘッド。
【請求項２１】
前記深さは、前記幅の±０．２５インチ（６．３５ｍｍ）以内である、請求項２０記載のゴルフクラブヘッド。
【請求項２２】
重心を備えたゴルフクラブヘッドであって、
打撃フェースと、ソールと、クラウンとを備えた本体を有し、前記クラウンは、外周を有し、
前記外周のうちの少なくとも３５％は、前記重心のソール側に位置している、
ゴルフクラブヘッド。
【請求項２３】
前記外周の少なくとも４０％は、前記重心のソール側に位置している、請求項２２記載のゴルフクラブヘッド。
【請求項２４】
前記クラウンは、補剛リブ及び少なくとも１つの凹み領域を有する、請求項２２記載のゴルフクラブヘッド。
【請求項２５】
前記クラウンの上から見て、前記補剛リブは、凸プロフィールを有し、前記凹み領域は、凹プロフィールを有する、請求項２４記載のゴルフクラブヘッド。
【請求項２６】
前記クラウンは、２つの凹み領域を有し、前記凹み領域は各々、２．８〜３．５インチ（７．１１〜８．８９ｃｍ）の深さ及び１．９〜２．６インチ（４．８３〜６．６０ｃｍ）の幅を有する、請求項２４記載のゴルフクラブヘッド。
【請求項２７】
前記凹み領域のうちの第１の凹み領域は、２．９〜３．５インチ（７．３７〜８．８９ｃｍ）の深さ及び２．２〜２．６インチ（５．５９〜６．６０ｃｍ）の幅を有し、
前記凹み領域のうちの第２の凹み領域は、２．８〜３．４インチ（７．１１〜８．６４ｃｍ）の深さ及び１．９〜２．３インチ（４．８３〜５．８４ｃｍ）の幅を有する、請求項２６記載のゴルフクラブヘッド。
【請求項２８】
前記凹み領域は各々、同一寸法のものである、請求項２６記載のゴルフクラブヘッド。
【請求項２９】
前記補剛リブは、前記重心のクラウン側に位置し、前記凹み領域は、前記重心のソール側に位置している、請求項２４記載のゴルフクラブヘッド。
【請求項３０】
前記打撃フェースは、４０ｃｍ2よりも大きな表面積を有する、請求項２２記載のゴルフクラブヘッド。
【請求項３１】
前記ゴルフクラブヘッドは、フロント高さ及び前記フロント高さの２５％以下のリヤ高さを有する、請求項２２記載のゴルフクラブヘッド。
【請求項３２】
重心を備えたゴルフクラブであって、
打撃フェースを備えた本体を有し、
前記打撃フェースは、４０ｃｍ2よりも大きな表面積を有し、
前記ゴルフクラブヘッドは、前記重心を通る垂直軸線回りに２６０ｋｇ・ｍｍ2よりも大きな慣性モーメントを有する、ゴルフクラブヘッド。
【請求項３３】
前記ゴルフクラブヘッドは、前記重心を通る水平軸線回りに４２０ｋｇ・ｍｍ2よりも大きな慣性モーメントを有する、請求項３２記載のゴルフクラブヘッド。
【請求項３４】
前記インサート、前記クラウン、又は、前記ソールは、複合材、ポリプロピレン、ケブラー、マグネシウム、熱可塑性樹脂、プラスチック、ポリマー、及び低密度金属合金のうちの１つ又は２つ以上を含む、請求項２、３又は１４記載のゴルフクラブヘッド。
【請求項３５】
前記ソールのトウ側に位置決めされた第１の重りインサートと、前記ソールのヒール側に位置決めされた第２の重りインサートとを有し、前記第１、第２の重りインサートは各々、２グラム〜３５グラムの質量を有する、請求項１又は１４記載のゴルフクラブヘッド。
【請求項３６】
前記ソール上の中心点が前記ゴルフクラブヘッドの最も下の点を構成し、
前記第１、第２の重りインサートの各々の重心は、
前記中心点の後方少なくとも０．５インチ（１２．７ｍｍ）、
前記第１の重りインサートについては前記中心点から前記ゴルフクラブヘッドのトウに向かって少なくとも０．７５インチ（１９．０５ｍｍ）、
前記第２の重りインサートについては前記中心点から前記ゴルフクラブヘッドのヒールに向かって少なくとも０．７５インチ（１９．０５ｍｍ）、
前記中心点の上方最大０．２５インチ（６．３５ｍｍ）にある、
請求項３５記載のゴルフクラブヘッド。
【請求項３７】
前記ゴルフクラブヘッドは、表面積が４５ｃｍ2よりも大きなフェースを有する、請求項１、１５又は２０記載のゴルフクラブヘッド。
【請求項３８】
前記ゴルフクラブヘッドは、表面積が１００ｃｍ2よりも大きなクラウンを有する、請求項１、１４、１５又は２０記載のゴルフクラブヘッド。
【請求項３９】
前記ゴルフクラブヘッドは、ソール−クラウン方向で測定して２．５〜２．８インチ（６．３５〜７．１１ｃｍ）の高さを有する打撃フェースを有する、請求項１又は２０記載のゴルフクラブヘッド。
【請求項４０】
前記ゴルフクラブヘッドは、１．５よりも大きなアスペクト比を備えた打撃フェースを有する、請求項１又は１５記載のゴルフクラブヘッド。
【請求項４１】
前記アスペクト比が１．７よりも大きい、請求項４０記載のゴルフクラブヘッド。